(57)【特許請求の範囲】
【請求項１】
着脱自在な電源コードにより外部電源と接続可能な電動リールであって、
釣り竿に装着されるリール本体と、
前記リール本体に回転自在に装着された糸巻き用のスプールと、
前記スプールを糸巻取方向に回転させるためのモータと、
前記電源コードを介して前記外部電源から供給された電力により前記モータを駆動するモータ駆動手段と、
前記スプールに巻回された釣り糸の繰り出し長さ又は巻取長さを測長し測長された長さにより前記釣り糸の先端に取り付けられた仕掛けの水深を求める水深算出手段と、
前記水深算出手段により算出された水深を含む各種の情報を表示するための水深表示手段と、
前記モータ駆動手段及び水深表示手段を制御するための制御手段と、
前記電源コードを着脱自在に接続するためのコード接続手段と、
前記コード接続手段に前記電源コードが接続されているか否かを検出するコード検出手段と、
前記リール本体の内部に設けられ前記モータ駆動手段を除く前記制御手段及び前記水深表示手段に電力を供給する内部電源と、
前記モータをオンオフするモータオンオフスイッチと、
前記電源コードが外れていることを前記コード検出手段が検出すると、前記外部電源からの電力に代えて前記内部電源からの電力を前記水深表示手段及び前記制御手段に供給するとともに、前記水深表示手段に前記電源コードが外れている旨を表示させ、前記モータオンオフスイッチを前記水深表示手段のオンオフスイッチとして機能させる動作手段と、
前記リール本体の内部に設けられ、前記電源コードを外したときに前記動作手段が電源を切り替える過渡期及び前記電源コードが外れた状態で前記内部電源を交換する過渡期において、前記制御手段に電力を供給する過渡期用電源と、
を備えた電動リール。
【請求項２】
前記内部電源は、前記リール本体の前記釣り糸繰り出し側かつ前記釣り竿に接近する側に配置されている、請求項１に記載の電動リール。
【請求項３】
前記内部電源は、前記外部電源からの電力により充電可能な電源である、請求項１又は２に記載の電動リール。
【請求項４】
前記内部電源の充電量に関する情報を前記水深表示手段に表示させる充電量表示手段をさらに備える、請求項３に記載の電動リール。
【請求項５】
音を発する発音手段をさらに備え、
前記動作手段は、前記電源コードが外れていることを前記コード検出手段が検出すると、前記発音手段からその旨を示す音を発生させる、請求項１から４のいずれか１項に記載の電動リール。
【発明の詳細な説明】
【０００１】
【発明の属する技術分野】
本発明は、電動リール、特に、着脱自在な電源コードにより外部電源と接続可能な電動リールに関する。
【０００２】
【従来の技術】
電動リールには、スプールの糸巻取方向の回転させるためのモータが設けられており、通常、蓄電池等の外部電源から電源コードを介してモータに電力が供給されている。モータには、船などで電源が容易に得られ速度を可変に制御しやすい直流モータが使用され、モータは、モータ駆動回路により速度可変に駆動されている。また、電動リールのリール本体の上部には、液晶ディスプレイからなる水深表示部を有するカウンタケースが設けられている。カウンタケース内には、水深表示部やモータ駆動回路を制御するためのマイクロコンピュータからなる制御部が設けられている。この制御部や水深表示部にも電源コードを介して外部電源から電力が供給されている。リール本体には、電源コードを電気的に接続するための本体コネクタ部が設けられており、電源コードには、本体コネクタ部に着脱自在に装着されるコードコネクタ部が設けられている。
【０００３】
この種の電動リールでは、通常は、船縁に設けられた竿支持具に釣り竿を装着した状態で操作される。そして、仕掛けに魚がかかると、手で釣り竿を支持・操作し、魚の引く力を勘案しながらモータをオンオフして釣り糸を巻き取り、魚を回収する。また、餌や仕掛けを交換するために仕掛けを回収するときには、竿支持具に釣り竿を装着したままモータをオンして釣り糸を巻き取り、仕掛けを回収する。
【０００４】
最近、比較的小型の電動リールが今まで手巻きで行っていたような種々な釣りに広く使用されている。このような小型の電動リールを使用する場合、たとえば、仕掛けや餌を交換するときには、モータを利用して釣り糸を高速で巻き取る。また、魚を釣り上げるときには、釣り味を楽しむために電動リールを手巻きリールとして用い、手でハンドルを回して釣り糸を巻き取る。
【０００５】
【発明が解決しようとする課題】
前記従来の電動リールでは、電動リールを手巻きリールとして使用する場合、釣り竿をしゃくるときや魚の動きに合わせて船内を移動するときに電源コードがじゃまになることがある。しかし、電源コードを外すと、モータだけではなく水深表示部も動作しなくなるので、あとどのぐらい巻き上げなければならないか分からなくなりリールを使いづらい。
【０００６】
そこで、電源コードを外しても手巻きリールとして使用できるようにするために、電動リールの内部に内部電源を装着したものが知られている。この内部電源は、たとえば、ボタン電池、乾電池等の電池であり、リール内部に設けられているために容量が小さい。このため、水深表示部の表示及び制御を行うことはできてもモータの駆動を行うことはできない。このような内部電源を装着した電動リールでは、電源コードを外したときには、内部電源から水深表示部に電力が供給され、外部電源からの電力が供給されなくても水深表示部が動作可能になる。
【０００７】
しかし、従来の内部電源付きの電動リールでは、電源コードを外しても、表面的に何の変化もあらわれない。このため、電源コードが外れていることを釣り人が認識できず、モータが駆動可能な状態なのか否かを判別しにくい。
【０００８】
本発明の課題は、内部電源を有する電動リールにおいて、電源コードが外れたことを釣り人が確実に認識できるようにすることにある。
【０００９】
【課題を解決するための手段】
発明１に係る電動リールは、着脱自在な電源コードにより外部電源と接続可能なリールであって、釣り竿に装着されるリール本体と、糸巻き用のスプールと、モータと、モータ駆動手段と、水深算出手段と、水深表示手段と、コード接続手段と、コード検出手段と、内部電源と、モータオンオフスイッチと、動作手段と、過渡期用電源とを備えている。糸巻き用のスプールは、リール本体に回転自在に装着されている。モータは、スプールを糸巻取方向に回転させるためのものである。モータ駆動手段は、電源コードを介して外部電源から供給された電力によりモータを駆動する手段である。水深算出手段は、スプールに巻回された釣り糸の繰り出し長さ又は巻取長さを測長し測長された長さにより釣り糸の先端に取り付けられた仕掛けの水深を求める手段である。水深表示手段は、水深算出手段により算出された水深を含む各種の情報を表示するための手段である。コード接続手段は、電源コードを着脱自在に接続するための手段である。内部電源は、リール本体の内部に設けられ設けられモータ駆動手段を除く制御手段及び水深表示手段に電力を供給する電源である。コード検出手段は、コード接続手段に電源コードが接続されているか否かを検出する手段である。モータオンオフスイッチは、モータをオンオフするための手段である。動作手段は、電源コードが外れていることをコード検出手段が検出すると外部電源からの電力に代えて内部電源からの電力を水深表示手段及び制御手段に供給するとともに、水深表示手段に電源コードが外れている旨を表示させ、モータオンオフスイッチを水深表示手段のオンオフスイッチとして機能させる手段である。過渡期用電源は、リール本体の内部に設けられ、電源コードを外したときに動作手段が電源を切り替える過渡期及び電源コードが外れた状態で内部電源を交換する過渡期において、制御手段に電力を供給する電源である。
【００１０】
この電動リールでは、仕掛けや餌を交換するときには、たとえば、竿支持具に釣り竿を装着した状態でモータをオンして釣り糸を巻き取り、仕掛けや餌を回収して交換する。仕掛けに魚がかかって釣り味を楽しむため手巻きリールとして使用する場合には、コード接続手段から電源コードを外して使用する。このように電源コードをリールから取り外すと、電源コードが外れていることをコード検出手段が検出する。コード検出手段が、電源コードが外れていることを検出すると、動作手段が動作して、水深表示手段にこの旨を示す表示を行う。これにより、電源コードがじゃまにならずに釣りを楽しむことができるとともに、動作手段の動作により電源コードが外れたことを釣り人が確実に認識できる。また、電源コードが外れていると、制御手段に内部電源からの電力が供給されるので、水深表示手段の制御などが電源コードを外しても継続され、電源コードを外したときのリールの使い勝手が損なわれない。さらに、電源コードが外れているときには、モータオンオフスイッチが水深表示手段のオンオフスイッチとして機能するので、電源コードが外れているときに、モータオンオフスイッチにより水深表示手段の表示をオンオフできる。このため、スイッチを増やすことなく、水深表示手段をオンオフできるとともに、水深表示手段を不必要な時にオフすることにより内部電源の寿命を延ばすことができる。
【００１１】
発明２に係る電動リールは、発明１に記載のリールにおいて、内部電源は、リール本体の釣り糸繰り出し側かつ釣り竿に接近する側に配置されている。この場合には、内部電源を、リール本体の釣り糸繰り出し側かつ釣り竿に接近する側、つまり、通常レベルワインド機構が装着された位置より下方の位置の比較的空間的に余裕がある位置に配置することで、リール本体を大型化することなく内部電源をリール内に装着することができる。
【００１２】
発明３に係る電動リールは、発明１又は２に記載のリールにおいて、内部電源は、外部電源からの電力により充電可能な電源である。この場合には、電源コードを接続している間は内部電源が充電されるので、内部電源の容量の低下が生じにくくなり、電源コードを外して手巻きリールとして使用しても長時間釣りを楽しむことができる。
【００１３】
発明４に係る電動リールは、発明３に記載のリールにおいて、内部電源の充電量に関する情報を水深表示手段に表示させる充電量表示手段をさらに備える。この場合には、内部電源の充電量が一目で分かるので、電源コードは外して手巻きリールとして使用しているときにも、正常に釣りをできるか否かを釣り人が簡単に認識できる。
【００１４】
発明５に係る電動リールは、発明１から４のいずれかに記載のリールにおいて、音を発する発音手段をさらに備え、動作手段は、電源コードが外れていることをコード検出手段が検出すると、発音手段からその旨を示す音を発生させる。この場合には、電源コードが外れていると発音手段が発音するので、電源コードが外れていることを釣り人が容易に認識できる。
【００１５】
【発明の実施の形態】
図１及び図２において、本発明の一実施形態による電動リールは、外部電源から供給された電力により駆動されるとともに、手巻きリールとして使用するときの電源を内部に有するリールである。また、電動リールは糸繰り出し長さ又は糸巻取長さに応じて仕掛けの水深を表示する水深表示機能を有するリールである。
【００１６】
電動リールは、釣り竿Ｒに装着可能なリール本体１と、リール本体１の側方に配置されたスプール回転用のハンドル２と、ハンドル２のリール本体１側に配置されたドラグ調整用のスタードラグ３とを主に備えている。
【００１７】
リール本体１は、左右１対の側板７ａ，７ｂとそれらを連結する複数の連結部材７ｃとからなるフレーム７と、フレーム７の左右を覆う左右の側カバー８ａ，８ｂと、フレーム７の前部を覆う前カバー９とを有している。
【００１８】
ハンドル２側の側カバー８ｂには、ハンドル２の回転軸が回転自在に支持され、ハンドル２と逆側の側カバー８ａの後部には、電源コード１８の一端を接続するための本体コネクタ部１９が設けられている。電源コード１８の一端には本体コネクタ部１９に着脱自在に装着されるコードコネクタ部１８ａが装着されており、他端には、たとえば１２ボルトの鉛蓄電池からなる外部電源ＰＳが接続されている。この本体コネクタ部１９を介して、外部電源ＰＳの電力がリールに供給される。
【００１９】
前カバー９には、図４に示すように、釣り糸通過用の横長の開口９ａが形成されるとともに、開口９ａの下側（リール本体１の前下部）には、後述する内部電源ＩＰ装着用の電源装着部３０が形成されている。
【００２０】
リール本体１の内部にはハンドル２に連結されたスプール１０が回転自在に支持されている。スプール１０の内部にはスプール１０を糸巻き上げ方向に回転駆動する直流駆動のモータ１２が配置されている。また、リール本体の内部には、レベルワインド機構１３（図４）や磁石ホイール（図示せず）や回転伝達機構（図示せず）やクラッチ機構（図示せず）等が設けられている。
【００２１】
レベルワインド機構１３は、スプールの前方に配置された釣り糸案内部１４を有している。レベルワインド機構１３は、スプール１０の回転に連動して釣り糸案内部１４をスプール１０の軸方向に移動させて、釣り糸をスプール１０に均一に巻き付けるために設けられている。磁石ホイールは、スプール１０に連動して回転し、スプール１０の回転方向や回転数を検出するための検出子として機能する。回転伝達機構は、モータ１２の回転を減速する遊星歯車機構やハンドル２の逆転を阻止する逆転防止機構やスプール１０の糸繰り出し方向の回転を制動するドラグ機構を含み、ハンドル２の回転をスプール１０に伝達するとともにモータ１２の回転をスプール１０に伝達する。クラッチ機構は、ハンドル２及びモータ１２とスプール１０との駆動伝達をオンオフする。また、リール本体１のハンドル２側側面には、クラッチ機構をオンオフ操作するためのクラッチレバー１１が配置されている。
【００２２】
リール本体１の上部には水密なカウンタケース４が固定されている。カウンタケース４には、図３に詳しく説明するように、仕掛けの水深や２つの基準で棚位置を表示するための液晶ディスプレイからなる液晶表示部５と、液晶表示部５の周囲に配置された各種の操作キー部６とが設けられている。
【００２３】
液晶表示部５には、表示モード（上からモードと底からモード）に応じて異なる水深を表示する水深表示部５ａと、各種のモードや動作状態を表示するためのモード表示部５ｂと、水底の水深Ｓを表示するための底メモ表示部５ｃと、表示モードに応じて上棚位置又は底棚位置を表示するための棚メモ表示部５ｄと、スプール１０巻き上げ時の９つの変速段を表示するための９つのドット表示からなる速度表示部５ｅと、内部電源ＩＰの充電量を表示するための充電量表示部５ｆとが含まれている。充電量表示部５ｆは、たとえば複数本のバー表示で内部電源ＩＰの充電量を表示する。
【００２４】
水深表示部５ａ、底メモ表示部５ｃ及び棚メモ表示部５ｄは、たとえば正負３桁（整数２桁，小数１桁）で水深を表示可能である。動作モード表示部５ｂは、「上  から」と「底から」との２種の文字のいずれかで表示モードを画面上に表示する。ここで、上からモードとは、リールを基準とした水面からの仕掛けの水深を表示するモードであり、底からモードとは水底を基準とした水底から仕掛けまでの距離を表示するモードである。このため、上からモードは、「上もの」と呼ばれる魚を釣るときに好適であり、底からモードは「底もの」と呼ばれる魚を釣るときに好適である。
【００２５】
操作キー部６には、液晶表示部５の右側に上下に並べて配置された速度調整スイッチＳＫ及びモータオンオフスイッチＰＢと、左側に上下に並べて配置されたさそいボタンＩＢ、棚メモボタンＴＢ及び底メモボタンＳＢとが設けられている。速度調整スイッチＳＫは、上下２つのスイッチＳＫ１，ＳＫ２と中立位置とからなるシーソー型のものであり、上スイッチＳＫ１を押すと変速段が押している時間だけ徐々に高速側に移行し、下スイッチＳＫ２を押すと低速側に移行する。また、押すのを止めると中立位置に復帰してそのときの変速段を維持する。モータオンオフボタンＰＢは、通常はモータ１２をオンオフするスイッチとして機能するとともに、電源コード１８が外れたときに液晶表示部５をオンオフするスイッチとして機能する。
【００２６】
さそいボタンＩＢは、仕掛けを棚近傍でさそい上げるさそいモードをセットしたり、さそい学習を行ったり、さそいモードを解除する際に使用されるボタンである。棚メモボタンＴＢは、上からモードのときの上棚位置や底からモードのときの底棚位置を設定するためのボタンである。なお、棚メモボタンＴＢを３秒以上押し続けると、水深表示が０セットされる。底メモボタンＳＢは、水底の水深を設定するためのボタンである。また、底メモボタンＳＢを３秒以上押し続けると、表示モードを上からモードと底からモードとの間で切り替えできる。
【００２７】
カウンタケース４の内部には、磁石ホイールを検出してスプール１０の回転方向及び回転数を検出するための２つのリードスイッチ２１ａ，２１ｂからなるスプールセンサ２１と、各種警報を出力するブザー２２とが設けられている。
【００２８】
またカウンタケース４の内部には、図５に示す制御部２０が設けられている。制御部２０は、カウンタケース４内に配置されたＣＰＵ，ＲＡＭ，ＲＯＭ，Ｉ／Ｏインターフェイス等を含むマイクロコンピュータを備えており、制御プログラムに従って後で説明する各種の制御動作を実行する。制御部２０には、液晶表示部５と、モータオンオフスイッチＰＢと、速度調整スイッチＳＫと、スプールセンサ２１と、ブザー２２と、操作キー部６の他のボタンやクラッチオン用のソレノイド（図示せず）等を含む他の入出力部とが接続されている。
【００２９】
また、制御部２０には、モータ１２を駆動するためのモータ駆動回路２３と、各種の制御データを記憶する不揮発メモリからなる記憶部２４と、電源コード１８が本体コネクタ部１９に接続されているか否かを検出するためのコード検出部２５と、スイッチ回路２７と、充電量検出回路２８と、過渡期用電源２９とが接続されている。
【００３０】
モータ駆動回路２３にはモータ１２が接続されており、モータ１２に与える電流を制御部２０からの制御信号によりパルス幅変調することでモータ１２を速度可変に駆動する。モータ駆動回路２３には、外部電源ＰＳから供給された、たとえば１２ボルトの電力がコード検出部２５及びスイッチ回路２７を介して供給される。
【００３１】
記憶部２４は、たとえばＥＥＰＲＯＭ（電気的に書き換え可能な不揮発メモリ）からなり、記憶部２４には、棚位置等の表示データや実際の糸長とスプール回転数との関係を示す学習データを含む種々のデータが記憶されている。この記憶部２４は、内部電源ＩＰが消耗しても種々のデータが保存できるように設けられている。
【００３２】
コード検出部２５は、たとえば外部電源ＰＳの電圧が０ボルトか否かを検出する電圧検出回路からなり、電圧が０ボルトであると電源コード１８が外れているとことを検出し、その旨を示す信号を制御部２０に出力する。
【００３３】
スイッチ回路２７には、コード検出部２５と、変圧回路３２と、内部電源ＩＰとが接続されている。スイッチ回路２７は、制御部２０からの制御信号により動作する、たとえばスイッチングトランジスタにより構成された３つのスイッチ部２７ａ〜２７ｃを有している。スイッチ部２７ａは、コード検出部２５とモータ駆動回路２３との間に配置され、モータ駆動回路２３への電力の供給をオンオフするスイッチである。スイッチ部２７ｂは、スイッチ部２７ａと液晶表示部５との間に配置され、液晶表示部５へ供給する電力をオンオフするスイッチである。スイッチ部２７ｃは、２入力１出力の切換スイッチであり、内部電源ＩＰと外部電源ＰＳとを切り替えるためのスイッチである。スイッチ回路２７は、モータオンオフスイッチＰＢに連動してモータ駆動回路２３及び液晶表示部５に与える電力の供給をオンオフするとともに、電源コード１８の装着の有無により、モータ駆動回路２３に与える電力をオンオフしかつ制御部２０及び液晶表示部５に与える電力を変圧回路３２を介して変圧された外部電源ＰＳからの電力と内部電源ＩＰからの電力との間で切り替える。
【００３４】
変圧回路３２は、外部電源ＰＳから供給された、たとえば１２ボルトの電力を制御部２０や液晶表示部５で必要とされる、たとえば３ボルトの電力に変圧する。変圧回路３２の出力はスイッチ部２７ｃの一入力端子に与えられる。変圧回路３２には充電回路３３も接続されており、変圧回路３２の出力は充電回路３３にも与えられる。
【００３５】
充電回路３３には内部電源ＩＰが接続されており、変圧された外部電源ＰＳの電力により内部電源ＩＰを充電する。
【００３６】
内部電源ＩＰは、たとえば３ボルトの起電力を有する充電可能かつ着脱自在なリチウムイオン電池から構成されている。内部電源ＩＰの出力はスイッチ部２７ｃの他入力端子に与えられる。内部電源ＩＰは、図４に示すように、前カバー９に設けられた電池装着部３０に着脱自在に装着されている。内部電源ＩＰと電源装着部３０との間には、パッキン３１が装着されており、電源装着部３０のパッキン装着部分より奥側は水密になっている。この電源装着部３０の位置は、開口９ａの下側であるため、レベルワインド機構１３の前下方（リール本体１の前下部）に位置する。この位置は、リール本体１内で比較的あいた空間となっている。このため、ここに内部電源ＩＰを装着してもリール本体１が大型化しない。
【００３７】
充電量検出回路２８は、内部電源ＩＰと制御部２０との間に配置され、内部電源ＩＰの充電量をたとえば電圧により検出し、その検出信号を制御部２０に出力する。この検出結果が充電量表示部５ｆに表示される。
【００３８】
過渡期用電源２９は、スイッチ部２７ｃの出力端子と制御部２０との間に配置されている。過渡期用電源２９は、たとえばコンデンサからなり、電源コード１８を外した時にスイッチ回路２７が切り替わる過渡期や電源コード１８が外れた状態で内部電源ＩＰを交換する過渡期において、制御部２０に電力を供給して制御がリセットされないようにするために設けられている。
【００３９】
これらの制御系の各部のうち、前述したように内部電源ＩＰがリール本体１の前下部に装着されており、残りの各部はカウンタケース４の内部に収納されている。
【００４０】
次に、制御部２０によって行われる制御処理を図６及びず７に示す制御フローチャートに従って説明する。
【００４１】
電動リールに外部電源ＰＳが電源コード１８を介して接続されると、その電力がコード検出部２５、変圧回路３２，スイッチ回路２７及び過渡期用電源２９を介して制御部２０に供給され、図６のステップＳ１において初期設定が行われる。ここでは、水深表示を「０」にしたり、変速段を１速にセットしたり、表示モードを上からモードに設定したり、各種フラグをリセットする。また、初期設定時にスイッチ回路２７のスイッチ部２７ｂがオンして液晶表示部５に電力を供給する。
【００４２】
ステップＳ２では、電源コード１８が装着されているか否かを判断する。この判断は、コード検出部２５からの信号により行う。電源コード１８が装着されている場合には、ステップＳ３に移行して電源コード１８装着の判断を初めてしたかを示すフラグＣＦが「０」にセットされているか否かを判断する。このフラグＣＦが「０」にセットされている場合には、すでに電源コード１８が装着されていることを判断したことになる。まだ電源コード１８が装着されていることを判断していない場合にはステップＳ３からステップＳ４に移行する。ステップＳ４では、フラグＣＦを「０」にセットする。ステップＳ５では、スイッチ回路２７のスイッチ部２７ｃを外部電源ＰＳ側、つまり変圧回路３２側に切り替える。
【００４３】
電源コード１８が外れている場合には、ステップＳ６に移行する。ステップＳ６では、フラグＣＦが「１」にセットさているか否かを判断する。フラグＣＦが「１」にセットされている場合には、すでに電源コード１８が外れていることを判断したことになる。まだ電源コード１８が装着されていることを判断していない場合にはステップＳ６からステップＳ７に移行する。ステップＳ７では、フラグＣＦを「１」にセットする。ステップＳ８では、スイッチ回路２７のスイッチ部２７ｃを内部電源ＩＰ側に切り替える。ステップＳ９では、コード外れ信号を液晶表示部５に出力する。この信号は、釣り人にコードが外れていることを表示するために使用される。ステップＳ１０では、ブザー２２を所定時間鳴らす信号を出力して釣り人に電源コード１８が外れていることを報知する。
【００４４】
ステップＳ３でフラグＣＦが「０」にすでにセットされている場合、ステップＳ６でフラグＣＦが「１」にすでにセットされている場合及びステップＳ５又はステップＳ１１での処理が終了した場合にはステップＳ１２に移行する。
【００４５】
ステップＳ１２では、表示処理を行う。表示処理では、液晶表示部５での水深表示等の各種の表示を行う。ここで、上からモードのときには、水深表示部５ａに上からの水深が、底からモードのときには水底からの距離が表示される。また、棚位置がセットされると、上からモードのときには棚メモ表示部５ｄに上棚位置が、底からモードのときには底棚位置が表示される。また、電源コード１８が外れておりステップＳ９でコード外れ信号が出力されている場合には、速度表示部５ｅの変速段を示す９つのドット表示すべてを消灯して電源コード１８が外れていることを釣り人に報知する。さらに、充電量検出回路２８の出力結果を取り込み、内部電源ＩＰの充電量を充電量表示部５ｆに表示する。
【００４６】
ステップＳ１４では、操作キー部６の各種キーの押圧によるキー入力がなされているか否かが判断される。ステップＳ１６では、スプール１０が回転しているか否かが判断される。この判断は、スプールセンサ２１の出力により判断する。ステップＳ１８では、他の指令がなされたか否かを判断する。
【００４７】
キー入力がなされているとステップＳ１４からステップＳ２０に移行し、図７に示すキー入力処理を行う。スプール１０が回転していると判断するとステップＳ１６からステップＳ２２に移行し、各モード処理を実行する。各モード処理では、スプールの回転方向に応じて仕掛けまでの釣り糸の繰り出し長さ（巻取長さ）を算出して水深表示用のデータを算出するとともに、棚位置に仕掛けが到達するとその位置で釣り糸の繰り出しを停止するなどの種々の処理を実行する。他の指令がなされるとステップＳ１８からステップＳ２４に移行し、指令に応じた他の処理を行う。
【００４８】
ステップＳ２０のキー入力処理では、図７のステップＳ３０でモータオンオフスイッチＰＢが押されているか否かを判断する。ステップＳ３２では速度調整スイッチＳＫの上スイッチＳＫ１が押されているか否かを判断する。ステップＳ３４では速度調整スイッチＳＫの下スイッチＳＫ２が押されているか否かを判断する。ステップＳ３６では、底メモボタンＳＢや棚メモボタンＴＢやさそいボタンＩＢ等の他のキー入力がなされたか否かを判断する。
【００４９】
モータオンオフスイッチＰＢが押されていると、ステップＳ３０からステップＳ３８に移行する。ステップＳ３８では、電源コード１８が装着されているか否かを判断する。電源コード１８が装着されている場合には、ステップＳ４０に移行し、スイッチ回路２７のスイッチ部２７ａがすでにオンしているか否かを判断する。スイッチ部２７ａがオンしている場合には、モータ１２を停止するためにモータオンオフスイッチＰＢが押されたと判断できるので、ステップＳ４２に移行する。ステップＳ４２では、スイッチ部２７ａをオフしてモータ駆動回路２３への電力を供給を停止する。スイッチ部２７ａがオフしている場合には、モータ１２を起動するためにモータオンオフスイッチＰＢが押されたと判断できるので、ステップＳ４４に移行する。ステップＳ４４では、スイッチ部２７ａをオンしてモータ駆動回路２３へ電力を供給してモータ１２を回転させる。
【００５０】
電源コード１８が外れていると判断するとステップＳ３８からステップＳ４６に移行する。ステップＳ４６では、スイッチ回路２７のスイッチ部２７ａをオフしてモータ１２側への電力の供給を遮断する。ステップＳ４８では、スイッチ回路２７のスイッチ部２７ｂがすでにオンしているか否かを判断する。ここで、電源コード１８が外れている場合には、モータオンオフスイッチＰＢを液晶表示部５のオンオフスイッチとして機能させるためにこのような判断を行う。スイッチ部２７ｂがオンしている場合には、液晶表示部５をオフするためにモータオンオフスイッチＰＢが押されたと判断できるので、ステップＳ５０に移行する。ステップＳ５０では、スイッチ部２７ｂをオフして液晶表示部５への電力を供給を停止する。スイッチ部２７ｂがオフしている場合には、液晶表示部５をオンするためにモータオンオフスイッチＰＢが押されたと判断できるので、ステップＳ５２に移行する。ステップＳ５２では、スイッチ部２７ｂをオンして液晶表示部５へ電力を供給して液晶表示部５をオンする。これにより水深表示等の各種情報が表示される。
【００５１】
ここでは、電源コード１８が装着されている場合には、モータオンオフスイッチＰＢをモータ１２のオンオフスイッチとして機能させ、電源コード１８が外れている場合には、モータオンオフスイッチＰＢを液晶表示部５のオンオフスイッチとして機能させている。このため、スイッチを増やすことなく、液晶表示部５をオンオフできるとともに、液晶表示部５を不必要な時にオフすることにより内部電源ＩＰの寿命を延ばすことができる。
【００５２】
速度調整スイッチＳＫの上スイッチＳＫ１が押されているとステップＳ３２からステップＳ５４に移行して増速処理を行う。この増速処理では、上スイッチＳＫ１を押している間、変速段を一段ずつ上昇させる設定を行い、設定された変速段に応じた速度にスプール１０の回転速度が上昇するまでデューティ比を大きくする制御を行う。
【００５３】
速度調整スイッチＳＫの下スイッチＳＫ２が押されていると、ステップＳ３４からステップＳ５６に移行し減速処理を行う。この減速処理では、下スイッチＳＫ２を押している間、変速段を一段ずつ下降させる設定を行い、設定された変速段に応じた速度にスプール１０の回転速度が下降するまでデューティ比を小さくする制御を行う。
【００５４】
棚メモボタンＴＢ等の他のキーが押されるとステップＳ３６からステップＳ５８に移行し、押されたキーに応じた他のキー処理を実行する。
【００５５】
このような制御が行われる電動リールを使用して釣りを行う場合、たとえば船縁に取り付けられた竿支持具に釣り竿を装着して置き竿の状態で仕掛けの投入や回収を行うときには、電源コード１８をリールに装着する。これにより、外部電源ＰＳからの電力によりモータ１２が回転させるとともに、制御部２０や液晶表示部５が動作する。
【００５６】
そして、仕掛けに魚がかかって合わせを行うとき等には電源コード１８を外して釣り味を楽しむために手巻きリールとして使用する。このとき、電源コード１８が外れると、ステップＳ２でそのことが判断され、スイッチ回路２７のスイッチ部２７ｃが内部電源ＩＰ側に切り替わる。それとともに、液晶表示部５の速度表示部５ｅが９つのドットすべてが消灯するとともにブザー２２が所定時間鳴り、現在電源コード１８が外れていることを釣り人に知らせる。この状態では、電源コード１８が外れているので、釣り人は自由に船内を移動できるとともに、釣りのしゃくり動作などを行っても電源コードがじゃまにならず、楽しく釣りを行える。
【００５７】
〔他の実施形態〕
（ａ）  前記実施形態では、電圧により電源コードの着脱を検出したが、図８に示すように、リミットスイッチなどのアクチュエータ４０ａ付きのスイッチ４０を本体コネクタ部１９に装着し、コードコネクタ部１８ａの接続の有無を物理的に検出してもよい。この場合、スイッチ４０を切替接点（ｃ接点）で構成すれば、電源コード１８の接続の有無の検出と、それに応じた２つの電源の切替とを１つのスイッチで実現できる。
【００５８】
（ｂ）  前記実施形態では、内部電源ＩＰを二次電池で構成したが、内部電源ＩＰを一次電池やコンデンサで構成してもよい。一次電池で構成すれば、内部電源ＩＰのコストが安くなる。また、コンデンサで構成すれば、コンデンサは小型のため、内部電源ＩＰを水密なカウンタケース４内に収納可能になり、防水性能の向上を図ることができる。
【００５９】
（ｃ）  前記実施形態では、内部電源ＩＰを外部電源ＰＳから電力を供給して充電するように構成したが、図９に示すように、内部電源ＩＰを充電するための太陽電池４２を有する充電装置４３を、たとえば、カウンタケース４に装着してもよい。この場合には、内部電源ＩＰが消耗しにくくなり、電源コード１８を外して手巻きリールとして使用しても液晶表示部５を長時間表示させることができる。
【００６０】
【発明の効果】
本発明に係る電動リールでは、電源コードをリールから取り外すと、電源コードが外れていることをコード検出手段が検出し、動作手段が動作して、たとえば警報を鳴らしたりランプを点灯したりする。このため、電源コードがじゃまにならずに釣りを楽しむことができるとともに、動作手段の動作により電源コードが外れたことを釣り人が確実に認識できる。また、電源コードが外れているときには、モータオンオフスイッチが水深表示手段のオンオフスイッチとして機能するので、電源コードが外れているときに、モータオンオフスイッチにより水深表示手段の表示をオンオフできる。このため、スイッチを増やすことなく、水深表示手段をオンオフできるとともに、水深表示手段を不必要な時にオフすることにより内部電源の寿命を延ばすことができる。さらに、電源コードが外れているときには、モータオンオフスイッチが水深表示手段のオンオフスイッチとして機能するので、電源コードが外れているときに、モータオンオフスイッチにより水深表示手段の表示をオンオフできる。このため、スイッチを増やすことなく、水深表示手段をオンオフできるとともに、水深表示手段を不必要な時にオフすることにより内部電源の寿命を延ばすことができる。
【図面の簡単な説明】
【図１】本発明の一実施形態による電動リールの斜視図。
【図２】その電動リールの平面図。
【図３】そのカウンタケースの平面拡大図。
【図４】その縦断面図。
【図５】リールの制御ブロック図。
【図６】メインルーチンの処理内容を示すフローチャート。
【図７】キー入力処理の内容を示すフローチャート。
【図８】他の実施形態の図５に相当する図。
【図９】他の実施形態の図５に相当する図。
【符号の説明】
１  リール本体
５  液晶表示部
５ａ  水深表示部
５ｅ  速度表示部
５ｆ  充電量表示部
１０  スプール
１２  モータ
１８  電源コード
１９  本体コネクタ部
２０  制御部
２２  ブザー
２３  モータ駆動回路
２５  コード検出部
２６  記憶部
２７  スイッチ回路
２８  充電量検出回路
ＰＢ  モータオンオフスイッチ
ＰＳ  外部電源
ＩＰ  内部電源
【図１】
0003569455.tif 000002
【図２】
0003569455.tif 000003
【図３】
0003569455.tif 000004
【図４】
0003569455.tif 000005
【図５】
0003569455.tif 000006
【図６】
0003569455.tif 000007
【図７】
0003569455.tif 000008
【図８】
0003569455.tif 000009
【図９】
0003569455.tif 000010